(57)【要約】      （修正有）【課題】創傷療法ドレッシングに流体を送達するためのシステムおよび方法が提供される。【解決手段】システム１００は、液溜めに係合するように構成されたアクチュエータと、アクチュエータに正圧、および創傷ドレッシングに負圧をもたらすように構成された圧力源１３０とを含む。圧力源１３０が、創傷ドレッシング１２０に負圧を、およびアクチュエータに正圧をもたらし、アクチュエータは液溜めから流体を吐き出させる。【選択図】図１
2018023793.tif 000002
【特許請求の範囲】
【請求項１】
創傷療法ドレッシングに流体を送達するシステムにおいて、 
液溜めに係合するように構成されたアクチュエータであって、前記アクチュエータは、前記液溜めから流体を吐き出すように適合されており、前記液溜めは、前記創傷療法ドレッシングと流体連通するように適合されている、アクチュエータと； 
前記アクチュエータに正圧を、および前記創傷療法ドレッシングに負圧をもたらすように構成された圧力源と； 
前記液溜めと前記創傷療法ドレッシングとの間の流体連通を制御するように適合された流体制御装置と； 
前記アクチュエータによって前記液溜めの流体に加えられた圧力に基づいて、流体の流れを制御するように構成された制御システムと； 
を含むことを特徴とする、システム。 
【請求項２】
請求項１に記載のシステムにおいて、前記アクチュエータが、前記液溜めの周囲に位置決めされた圧迫スリーブであり、前記圧迫スリーブは、前記正圧を適用されると、前記液溜めを圧迫して前記液溜めから流体を吐き出すように適合されていることを特徴とする、システム。 
【請求項３】
請求項１に記載のシステムにおいて、前記アクチュエータが、前記液溜め内に位置決めされた拡張可能なブラダであり、前記拡張可能なブラダは、前記正圧を適用されると拡張し、前記液溜め内の前記流体を変位させて、前記液溜めから前記流体を吐き出すように適合されていることを特徴とする、システム。 
【請求項４】
請求項１乃至３の何れか１項に記載のシステムにおいて、前記流体制御装置が、制御弁および流量計測オリフィスを含み、前記制御弁および前記流量計測オリフィスが協働して、前記アクチュエータにもたらされた前記正圧と、前記流量計測オリフィスのサイズとに従って、ある容積の前記流体を前記液溜めからもたらすことを特徴とする、システム。   
【請求項５】
請求項４に記載のシステムにおいて、前記制御弁が：ソレノイド弁およびソレノイド作動ピンチ弁からなる群から選択されることを特徴とする、システム。 
【請求項６】
請求項１乃至３の何れか１項に記載のシステムにおいて、前記流体制御装置が：ソレノイド弁およびソレノイド作動ピンチ弁からなる群から選択される制御弁を含むことを特徴とする、システム。 
【請求項７】
請求項１乃至３の何れか１項に記載のシステムにおいて、前記流体制御装置が流量計測オリフィスを含むことを特徴とする、システム。 
【請求項８】
請求項１乃至７の何れか１項に記載のシステムにおいて、前記制御システムは、前記アクチュエータに加えられた前記圧力に従って、ある容積の前記流体を前記液溜めからもたらすように前記流体制御装置を制御するように構成されていることを特徴とする、システム。 
【請求項９】
請求項１乃至８の何れか１項に記載のシステムにおいて、前記圧力源が真空ダイヤフラムポンプを含み、前記真空ダイヤフラムポンプが真空ポートおよび正圧ポートを含み、前記真空ポートが、前記創傷療法ドレッシングに前記負圧をもたらすように適合されており、および前記正圧ポートが、前記アクチュエータに前記正圧をもたらすように適合されていることを特徴とする、システム。 
【請求項１０】
請求項１乃至９の何れか１項に記載のシステムにおいて、さらに、前記アクチュエータと前記圧力源との間で流体連通している弁を含み、前記弁を通して前記アクチュエータに前記正圧がもたらされ、および前記弁は、前記圧力源からの過剰圧力を大気へ放出するように構成されていることを特徴とする、システム。 
【請求項１１】
請求項１乃至１０の何れか１項に記載のシステムにおいて、前記圧力源が、約０．１ｐｓｉｇ〜約１．０ｐｓｉｇの圧力をもたらすように構成されていることを特徴とする、システム。 
【発明の詳細な説明】
【技術分野】
【０００１】
関連出願の相互参照
本出願は、２０１２年１月１０日出願の米国仮特許出願第６１／５８５，０５５号（ＳＹＳＴＥＭＳ  ＡＮＤ  ＭＥＴＨＯＤＳ  ＦＯＲ  ＤＥＬＩＶＥＲＩＮＧ  ＦＬＵＩＤ  ＴＯ  Ａ  ＷＯＵＮＤ  ＴＨＥＲＡＰＹ  ＤＲＥＳＳＩＮＧ）の優先権を主張し、この開示全体を、参照することにより本明細書に援用する。
【０００２】
本明細書の主題は、概して、創傷の治癒、および創傷の治療法に関する。より詳細には、限定されるものではないが、本主題は、流体滴下（ｆｌｕｉｄ−ｉｎｓｔｉｌｌａｔｉｏｎ）を改良するシステムおよび方法、ならびに陰圧閉鎖療法（ＮＰＷＴ）の装置および方法に関する。
【背景技術】
【０００３】
臨床試験および実習から、組織部位に近接して減圧をもたらすことによって、組織部位における新しい組織の成長を増強および加速することが示されている。この現象の適用は多数あるが、減圧を行うことは、創傷の治療においてかなり成功している。この治療（医学界では「陰圧閉鎖療法」、「減圧療法」、または「真空療法」と呼ばれることが多い）はいくつもの利点を提供し、それら利点には、迅速な治癒や肉芽組織の形成加速化が含まれる。一般に、減圧は、多孔質パッドまたは他のマニホールド装置を通して組織に行われる。多孔質パッドは、減圧を組織に分配しかつ組織から引き出された流体を運ぶことができる気泡または細孔を含む。多孔質パッドは、治療を促す他の構成要素を有するドレッシングに組み込まれ得る。
【０００４】
典型的な滴下療法では、低い正圧下で創傷に流体を滴下する。治療効果を最大にするために、滴下された流体は、露出した組織表面全てに到達する必要がある。多孔質の創傷充填材と負圧を適用して流体の分配を支援することを組み合わせて、滴下流体によって創傷を完全に満たすようにすることは、効果的な滴下療法を提供できる。そのような技術は、多数の欠点を有し得る。例えば、創傷を流体で満たすことは、特に、ドレッシング（例えば、発泡体）に入る流体の大部分に高価な流体（例えば抗生物質）が使用され、滴下流体で創傷の表面を被覆できるようにする場合、無駄が多い。
【０００５】
滴下された流体が安価な場合でも、大量の流体が必然的に含まれる可能性があり、頻繁にキャニスターを変更する必要が発生し、これが、使用者の不満につながり得る。低い正圧を一般に使用して創腔を満たすが、流体の液圧の（本質的に非圧縮性の）性質は、過剰充填が即、ドレープの漏れを生じ得ることを意味する。創腔内の表面のねじり曲り（Ｔｏｒｔｕｏｕｓ  ｃｏｎｔｏｕｒｓ）によって、ガスポケットが形成される場合があるため、発泡体ドレッシングと液体充填技術との両者で達成するのは困難であり得る。（シールを維持して漏れを減少させるのを助け、患者の不快感を最小限にし、および流体の分配を支援するために）液体滴下中に低真空を適用することは、滴下された流体が、ドレッシングを通して完全に分配される前に除去され得るため、問題があり得る。
【発明の概要】
【０００６】
上記の欠点は包括的なものではなく、創傷ドレッシングへの流体送達における既知の技術の有効性を損なう傾向を有するものの例である；しかしながら、それら本明細書で述べたものは、当業界に見られる方法論が満足のいくものではないこと、および本開示で説明しかつ特許請求する技術に対し、かなりのニーズが存在することを実証するには十分である。それゆえ、少なくとも上述の理由により、改良型の創傷治療システムおよび方法が望まれている。
【０００７】
上述の説明から、創傷療法ドレッシングへの流体の送達を改良したシステムおよび方法に対するニーズが存在することは明白である。開示の実施形態の方法は、実質的に、説明のシステムの動作を実施するために必要なステップを含む。
【０００８】
一実施形態では、陰圧閉鎖療法ドレッシングに流体を送達するためのシステムが提供され、システムは：液溜めに係合するように構成されたアクチュエータと；アクチュエータに正圧を、および創傷ドレッシングに負圧をもたらすように構成された圧力源とを含む。アクチュエータは、例えば、圧迫スリーブおよび／またはブラダとして構成できる。一部の実施形態では、さらに：液溜め；創傷ドレッシング；および液溜めおよび創傷ドレッシングと流体連通している流体制御装置を含み得る。
【０００９】
特定の実施形態では、流体制御装置は、例えば、ソレノイド作動ピンチ弁などの制御弁および／またはオリフィスとし得る。いくつかの実施形態では、流体制御装置を制御するように構成された制御システムも含み得る。
【００１０】
特定の実施形態では、圧力源は真空ダイヤフラムポンプを含み得る。特定の実施形態はまた、アクチュエータおよび圧力源と流体連通している弁を含んでもよく、弁は、大気に放出するように構成できる。圧力源は、例えば、約０．１ｐｓｉｇ〜約１．０ｐｓｉｇの圧力をもたらすように構成できる。
【００１１】
別の実施形態では、陰圧閉鎖療法ドレッシングに流体を送達するシステムが提供され、システムは：真空ポートおよび正圧ポートを含むポンプと；正圧ポートと流体連通している拡張可能部材であって、液溜めと係合して、液溜めから流体を吐き出すように構成された拡張可能部材と；正圧ポートおよび拡張可能部材と流体連通している弁であって、大気に圧力を放出するように構成された弁とを含む。
【００１２】
特定の実施形態は、さらに、真空ポートと流体連通する創傷ドレッシングを含み得る。さらに、特定の実施形態は、追加的に、液溜めからの流体の流れを制御するように構成された制御システムを含み得る。例えば、制御システムは、制御弁を制御するように構成できる。制御弁は、例えば、ソレノイド作動ピンチ弁とし得る。特定の実施形態では、正圧ポートは、約０．１ｐｓｉｇ〜約１．０ｐｓｉｇの圧力を拡張可能部材にもたらすように構成できる。
【００１３】
さらに別の実施形態では、陰圧閉鎖療法ドレッシングに流体を送達する方法が提供され、この方法は：液溜めに正圧を、および陰圧閉鎖療法システムの創傷ドレッシングに負圧を加えるように圧力源を動作させるステップと；正圧を監視し、かつ弁を開放して、流体が液溜めから創傷ドレッシングへ流れることができるようにするステップと；弁を閉鎖して、液溜めから創傷ドレッシングへの流体の流れを制限するステップと；圧力源から創傷ドレッシングへの負圧を維持するステップとを含む。
【００１４】
特定の実施形態では、圧力源は、ダイヤフラム真空ポンプとし得る。特定の実施形態では、正圧は、約０．１ｐｓｉｇ〜約１．０ｐｓｉｇとし得る。
【００１５】
さらに別の実施形態では、創傷療法ドレッシングに流体を送達するシステムが提供される。システムは、アクチュエータ、圧力源、および流体制御装置を含む。アクチュエータは、液溜めに係合するように構成される。さらに、アクチュエータは、液溜めから流体を吐き出すように適合されている。液溜めは、創傷療法ドレッシングと流体連通するように適合されている。圧力源は、アクチュエータに正圧を、および創傷療法ドレッシングに負圧をもたらすように構成されている。流体制御装置は、液溜めと創傷ドレッシングとの間で流体連通しているように適合されており、液溜めと創傷ドレッシングとの間の流体連通は、流体制御装置によってもたらされる。
【００１６】
さらに別の実施形態では、創傷療法ドレッシングに流体を送達するシステムが提供される。システムは、ポンプ、拡張可能部材、および弁を含む。ポンプは、真空ポートおよび正圧ポートを含み、真空ポートは、創傷療法ドレッシングと流体連通するように適合されている。拡張可能部材は、正圧ポートと流体連通している。さらに、拡張可能部材は、液溜め内の流体に力を加えて、液溜めから流体を吐き出すように構成されており、液溜めは、創傷療法ドレッシングと流体連通するように適合されている。弁は、正圧ポートと拡張可能部材との間で流体連通しており、正圧ポートからの正圧が、弁を通して拡張可能部材にもたらされ、および弁は、過剰圧力を大気に放出するように構成されている。
【００１７】
さらに別の実施形態では、創傷療法ドレッシングに流体を送達する方法が提供されている。この方法は、液溜め内の流体に正圧を、および創傷療法ドレッシングに負圧を加えるように適合された圧力源を動作させるステップを含む。さらに、この方法は、流体の正圧を監視するステップを含む。さらに、この方法は、液溜めから創傷療法ドレッシングへ流体を供給するように適合された流体制御装置を提供するステップであって、流体制御装置が制御弁および計測オリフィスを含み、計測オリフィスが、流体の正圧に従って流体の流速をもたらすようなサイズにされているステップを含む。さらに、この方法は、液溜めから創傷療法ドレッシングへ、予め決められた容積の流体をもたらすために制御弁を開放するステップであって、予め決められた容積の流体は、経過した期間にわたる液溜めからの流体の流速に対応するステップを含む。なおさらに、この方法は、経過した期間後に、制御弁を閉鎖して、液溜めから創傷療法ドレッシングへの流体の流れを制限するステップと、圧力源から創傷ドレッシングへの負圧を維持するステップとを含む。
【００１８】
他の目的、および関連する利点は、以下の、添付の図面に関連する特定の実施形態の詳細な説明を参照することから明らかとなる。
【００１９】
用語「結合された」は、必ずしも直接にでも、必ずしも機械的にでもないが、接続されたと定義される。
【００２０】
用語「１つの（ａ、ａｎ）」は、本開示が明白に他の意味に解釈する場合を除いて、１つ以上と定義される。
【００２１】
用語「実質的に」およびその変形は、当業者に理解されるように明記される、大部分であるが、必ずしも全体的である必要はないと定義され、および非限定的な一実施形態では、「実質的に」は、明記される１０％内、好ましくは５％内、一層好ましくは１％内、および最も好ましくは０．５％内の範囲を指す。
【００２２】
用語「含む（ｃｏｍｐｒｉｓｅ）」（および含むのいずれかの形態、例えば「含む（ｃｏｍｐｒｉｓｅｓ、ｃｏｍｐｒｉｓｉｎｇ）」）、「有する（ｈａｖｅ）」（および有するのいずれかの形態、例えば「有する（ｈａｓ、ｈａｖｉｎｇ）」）、「含む（ｉｎｃｌｕｄｅ）」（および含むのいずれかの形態、例えば「含む（ｉｎｃｌｕｄｅｓ、ｉｎｃｌｕｄｉｎｇ）」）、および「含む（ｃｏｎｔａｉｎ）」（および含むのいずれかの形態、例えば「含む（ｃｏｎｔａｉｎｓ、ｃｏｎｔａｉｎｉｎｇ）」）は、オープンエンドの連結動詞である。その結果、１つ以上のステップまたは要素を「含む（ｃｏｍｐｒｉｓｅｓ）」、「有する」、「含む（ｉｎｃｌｕｄｅｓ）」、または「含む（ｃｏｎｔａｉｎｓ）」方法または装置は、それら１つ以上のステップまたは要素を保有するが、それら１つ以上の要素のみを保有することに限定されない。同様に、１つ以上の特徴を「含む（ｃｏｍｐｒｉｓｅｓ）」、「有する」、「含む（ｉｎｃｌｕｄｅｓ）」、または「含む（ｃｏｎｔａｉｎｓ）」方法のステップまたは装置の要素は、それら１つ以上の特徴を保有するが、それら１つ以上の特徴のみを保有することに限定されない。さらに、特定の方法で構成された装置または構造は、少なくともその方法で構成されるだけでなく、リストしていない方法で構成されてもよい。
【００２３】
用語「負圧」は、装置の使用場所における絶対気圧を下回る絶対圧を指す。それゆえ、ある領域において述べた負圧のレベルは、その領域における絶対気圧と絶対圧との間の相対的測定値である。負圧の低下という記述は、その領域の圧力が気圧の方に動いている（すなわち、絶対圧が上昇している）ことを意味する。数値を使用する場合、圧力数値の前に負号を置いて、値が、気圧に対して負圧であることを示す。
【００２４】
以下の図面は、本明細書の一部をなし、かつ本明細書で説明する主題の例示的な実施形態の特定の態様をさらに明示するために含まれる。
【図面の簡単な説明】
【００２５】
【図１】図１は、創傷療法ドレッシングに流体を送達するシステムの一実施形態を示す概略図である。
【図２】図２は、創傷療法ドレッシングに流体を送達するシステムの別の実施形態を示す概略図である。
【図３】図３は、創傷療法ドレッシングに流体を送達する方法の一実施形態を示す概略的なフロー図である。
【発明を実施するための形態】
【００２６】
添付図面に示されかつ以下の説明で詳述する非限定的な実施形態を参照して、様々な特徴および利点の詳細をさらに十分に説明する。本発明の詳細を不必要に曖昧にすることがないようにするために、周知の出発原料、加工技術、構成要素、および機器の説明を省略する。しかしながら、詳細な説明および具体例は本発明の実施形態を示すが、説明のためにすぎず、限定するものではないことを理解されたい。当業者には、基本的な発明の概念の趣旨および／または範囲内にある様々な代用、修正、追加、および／または再構成が、本開示から明らかとなる。
【００２７】
図１は、陰圧閉鎖療法ドレッシングに流体を送達するシステム１００の例示的な一実施形態を示す。図示の例示的な実施形態では、システム１００は、溜め部１１０、創傷ドレッシング１２０、および圧力源１３０を含む。例示的な実施形態では、圧力源１３０は、例えば、ダイヤフラム真空ポンプを含む真空ポンプをとし得る。例示的な実施形態では、溜め部１１０は、静脈内流体送達に使用するためのものと同様のポリエチレンバッグとして構成し得る。
【００２８】
図１の実施形態では、圧力源１３０は、溜め部１１０および創傷ドレッシング１２０に負圧を、および溜め部１１０から流体を強制的に引き出させるように構成されたアクチュエータ１１５に正圧をもたらす。溜め部１１０は、食塩水、抗生物質流体、または滴下療法に使用するのに好適な任意の他の流体を含み得る。図１に示すように、アクチュエータ１１５は、圧迫スリーブなどの拡張可能部材であり、これは、溜め部１１０を圧迫して、溜め部１１０から流体を吐き出すように構成されている。例えば、図１は、アクチュエータ１１５を、溜め部１１０の周囲に位置決めした圧迫スリーブとして示す。圧迫スリーブは、溜め部１１０に向かって少なくとも内側方向に拡張して、溜め部１１０を係合および圧迫するように適合し得る、すなわち、圧迫スリーブの内周部分は、圧迫スリーブが拡張するにつれ、小さくなり得る。
【００２９】
引き続き図１を参照すると、システム１００は、さらに、溜め部１１０および創傷ドレッシング１２０と流体連通する流体制御装置１５０を含む。下記で詳細に説明するように、流体制御装置１５０は、溜め部１１０から創傷ドレッシング１２０への流体の流れを制御するように構成された１つ以上の弁またはオリフィスを含み得る。
【００３０】
システム１００の動作中、圧力源１３０は真空ポート１３８から負圧をもたらし、この真空ポートは、導管１１６を介して創傷ドレッシング１２０と、および導管１１４および１１２を介して溜め部１１０と流体連通している。圧力源１３０はまた、動作中、導管１３４および１３６を介して圧力ポート１３２からアクチュエータ１１５へ正圧をもたらすように構成されている。（例えば、導管１３４および１３６を介して）圧力ポート１３２とアクチュエータ１１５との間で流体連通している弁１３５を使用して、大気に正圧を放出できる。
【００３１】
動作前、システム１００は、アクチュエータ１１５が溜め部１１０と係合するように準備され、この溜め部には、創傷ドレッシング１２０に送達されるべき流体が入っている。溜め部１１０は、導管１１２を介して流体制御装置１５０と、および導管１１４を介して創傷ドレッシング１２０と流体連通している。創傷ドレッシング１２０は、同様に、導管１１６を介して真空ポート１３８と流体連通している。さらに、圧力ポート１３２は、導管１３４および１３６、および弁１３５を介してアクチュエータ１１５と流体連通している。
【００３２】
圧力源１３０は、正圧がアクチュエータ１１５に送達されるように、動作する。いくかの例示的な実施形態では、アクチュエータ１１５にもたらされる圧力は２．０ｐｓｉｇ未満であり、および特定の実施形態では、圧力レベルは、１．０ｐｓｉｇ未満である。さらにより特定的な実施形態では、圧力レベルは以下の値未満、すなわち０．９、０．８、０．７、０．６、０．５、０．４、０．３、０．２または０．１ｐｓｉｇである。
【００３３】
アクチュエータ１１５に送達された圧力レベルは、弁１３５によって制御できる。特定の実施形態では、弁１３５は、大気に過剰圧力を放出するように構成された三方弁とし得る。その後、アクチュエータ１１５が溜め部１１０に力を加えるため、導管１１２を介して溜め部１１０から流体が吐き出され得る。
【００３４】
流体制御装置１５０は、溜め部１１０から吐き出される流体の量（例えば、全容積、流速、または制御が望まれる別の流体の流れのパラメータ）を制御するように動作できる。図１に示すように、流体制御装置１５０は、制御弁１５１および流量計測オリフィス１５２を含む。弁１５１は、溜め部１１０からの流体の流れを停止させるために使用できる、例えばソレノイド弁またはピンチ弁として構成し得る。いくかの例示的な実施形態では、弁１５１が閉鎖されて流体の流れを停止するとき、弁１３５は、圧力源１３０で発生した正圧を大気に放出するように位置決めできる。
【００３５】
他の実施形態では、流体制御装置１５０は、例えば、オリフィスのない制御弁、または制御弁のないオリフィスを含め、異なる組み合わせの構成要素を含み得ることが理解される。特定の実施形態では、流体制御装置１５０は、適切な制御システム１５５（例えば、ソフトウェア、圧力センサーまたは他の適切な構成要素を含むシステム）を介して制御され得る。例えば、制御システム１５５は、アクチュエータ１１５に加えられる圧力を検出するように構成された圧力センサー１５３からの入力を受信し得る。図１に示すように、圧力センサー１５３は、導管１３６内の圧力を検出し、導管１３６は、アクチュエータ１１５と流体連通している。制御システム１５５はまた、例えば、アクチュエータ１１５に加えられる圧力、およびアクチュエータ１１５によって溜め部１１０およびその内部の流体に加えられた力または圧力に基づいて、溜め部１１０からの流体の流れを制御するための出力を弁１５１にもたらすように、構成し得る。
【００３６】
流体制御装置１５０は、溜め部１１０に加えられる公知の圧力レベル、および弁の位置および／または制御装置１５０のオリフィスのサイズに基づいて、公知のまたは予め決められた容積および／または流速で流体を溜め部１１０から吐き出すように動作できる。特定の実施形態では、溜め部１１０からの流体の流れの速度は、１００ｍｌ／分に制御され得る。他の実施形態では、流速は、９０、８０、７０、６０、５０、４０、３０、２０または１０ｍｌ／分に制御され得る。
【００３７】
正圧を使用して溜め部１１０および流体制御装置１５０から流体を吐き出して、溜め部１１０からの流体の流れを制御することによって、使用者は、所望量の流体を正確に監視でき、かつ創傷ドレッシング１２０に投与できる。例えば、流量計測オリフィス１５２は、溜め部１１０にもたらされた公知の圧力で特定の流速をもたらすようなサイズにできる。流速は、実質的に一定レベルに維持できる、なぜなら、溜め部１１０の体積が低減すると、アクチュエータ１１５が拡張し得るためである。公知の流速では、弁１５１は、創傷ドレッシング１２０に所望の液量を提供するように特定の時間の長さで動作できる、すなわち、溜め部１１０からの、予め決められたまたは所望の容積の流体は、経過した期間にわたる溜め部１１０からの流体の流量に対応し得る。これにより、創傷ドレッシング１２０に流体が過剰に送達され、漏れの原因となる可能性を低くできる。
【００３８】
図１に示す実施形態は、例示的な一実施形態にすぎない。他の例示的な実施形態は、構成要素の異なる構成または配置を含み得る。例えば、ここで図２を参照すると、図１のものと同様であるが、拡張可能なブラダとして構成されるアクチュエータ２１５を含む、システム２００の例示的な実施形態が示されている。システム１００に関連して説明した構成要素と同じ符号を付されたシステム２００の構成要素は、均等物であるため、ここでさらに説明はしない。
【００３９】
システム２００の動作中、圧力源１３０からもたらされた圧力が高くなると、アクチュエータ２１５は拡張する。この実施形態では、アクチュエータ２１５は、ハウジングなどの溜め部２１０内に含まれる。アクチュエータ２１５が拡張するにつれ、アクチュエータ２１５は、溜め部２１０の流体を変位させ、システム１００に関連して説明したのと同様の方法で溜め部２１０から流体を吐き出し、溜め部２１０から創傷ドレッシング１２０への流体の流れを制御式にもたらす。
【００４０】
ここで図３を参照して説明すると、システム１００および２００を動作させるために利用し得る方法の実施形態を示すフロー図が提供されている。フロー図は、全体的に論理的なフロー図として記載される。そのようなものとして、図示の順序および符号を付したステップは、提示の方法の非限定的な一実施形態を示すものである。他のステップ、方法、およびその実施順序は、本明細書の範囲内にあると考えられ得る。
【００４１】
図３に示す実施形態では、本開示による例示的なシステムの動作のために実行し得る一連のステップを含む方法３００が開示される。特定の実施形態は、コンピュータ読み取り可能コードを含む有形コンピュータ読み取り可能媒体を含んでもよく、コンピュータ読み取り可能コードは、コンピュータによって実行されると、コンピュータに、図３に開示するステップを含むオペレーションを行わせる。
【００４２】
この例示的な実施形態では、ステップ３１０は、液溜めに正圧を加え、かつ陰圧閉鎖療法システムの創傷ドレッシングに負圧を加えるように圧力源を動作させることを含む。ステップ３２０は、溜め部または流体圧力を監視し、かつ弁を開放して、流体が液溜めから創傷ドレッシングへ流れることができるようにすることを含む。ステップ３３０は、弁を閉鎖して、液溜めから創傷ドレッシングへの流体の流れを制限することを含む。ステップ３４０は、圧力源から創傷ドレッシングへの負圧を維持することを含む。さらに、この方法は、前述の流体制御装置１５０を提供するステップ、流体制御装置１５０に関連する制御弁１５１を開放するステップ、およびその後、溜め部１１０、２１０から予め決められた容積の流体を送達するのに十分な期間の経過後に、制御弁１５１を閉鎖するステップを含み得る。
【００４３】
本明細書の装置および方法を、好ましい実施形態に関して説明したが、当業者には、添付の特許請求の範囲によって定義されるような本明細書の範囲から逸脱せずに、変形形態を適用し得ることが明白である。
【図１】
2018023793.tif 000003
【図２】
2018023793.tif 000004
【図３】
2018023793.tif 000005